(57)【要約】      （修正有） 【課題】靴製作の専門的知識がなくても、容易にベビーシューズを組み立てることが可能なベビーシューズ組み立て用パーツを提供する。【解決手段】下部パーツ１は、底部２と左側面部３と右側面部４とヒール部５からなる一体のパーツであり、上部パーツは、甲部とタン部からなる一体のパーツであり、さらに、踵用パーツがあり、３つのパーツが一つのキットとなる。予め下部パーツ１に踵用パーツを接合し、下部パーツ１の上に上部パーツを重ねて組み合わせた後、下部パーツ１と上部パーツの接合を行うことにより、ベビージューズが完成する。【選択図】図１
0003218467.tif 000002
【実用新案登録請求の範囲】
【請求項１】
ベビージューズを組み立てる際に用いられるパーツであって、底部と左側面部と右側面部とヒール部を一体に構成している下部パーツ、甲部とヒール部を一体に構成している上部パーツ及び踵用パーツとからなるベビージューズ組み立て用パーツ。
【請求項２】
印伝が配設された構成であることを特徴とする請求項１記載のベビーシューズ組み立て用パーツ。
【考案の詳細な説明】
【技術分野】
【０００１】
本考案はベビーシューズを組み立てる際に用いるベビーシューズ組み立て用パーツに関するものである。
【背景技術】
【０００２】
従来から乳幼児等の靴としてベビーシューズが広く用いられている。このようなベビーシューズについては、乳幼児が足を挿入させ易く、履き易いベビーシューズの発明が知られている（例えば、特許文献１）。
【先行技術文献】
【特許文献】
【０００３】
【特許文献１】特許第５９６１３９４号  公報
【考案の概要】
【考案が解決しようとする課題】
【０００４】
完成されたベビージューズに対して手作りにより製作したベビーシューズを履かせる方が、乳幼児期の子育ての思い出を作ることができる。しかしながら、靴の製作には専門的知識が必要であり、例えば、生地の寸法取りや糸を通すための穴あけに時間を要してしまうという問題がある。
【０００５】
本考案の目的は靴の製作に関する専門的知識を持たない子育て世代が容易に楽しみながら、手作りによりベビーシューズを製作できるパーツを提供することである。本考案のパーツを使用することによりベビーシューズを手作りできることから、思い出作りとして市販されていない特徴のあるベビーシューズを得ることができる。
【課題を解決するための手段】
【０００６】
本考案の請求項１に記載のベビージューズ組み立て用パーツは、つま先部分を含む底部（以下、底部と称する）と左側面部と右側面部とヒール部を一体に構成している下部パーツ、甲部とタン部を一体に構成している上部パーツ及び踵用パーツとからなる３つのパーツからなるベビージューズ組み立て用パーツである。
【０００７】
本発明の請求項２に係る考案は、請求項１に係る考案であって、高度な加工技術を有する印伝が配設された構成を持つベビーシューズ組み立て用パーツであって、伝統の赴きあるベビーシューズを手作りで製作することができる。
【考案の効果】
【０００８】
本考案の請求項１に記載のベビージューズ組み立て用パーツによれば、底部と左側面部と右側面部とヒール部を一体に構成している下部パーツ、甲部とタン部を一体に構成している上部パーツ及び踵用パーツからなる３つのパーツからなり、靴の製作に関する専門的知識がなくても容易に手作りで靴作りが可能である。
【０００９】
また、本考案の請求項２に記載のベビージューズ組み立て用パーツでは、高度な加工技術を有する印伝が配設された構成を持つパーツであって、乳幼児期を伝統の赴きあるベビーシューズを手作りで製作することができ、思い出を作ることができる。
【図面の簡単な説明】
【００１０】
【図１】本考案に係る下部パーツである。
【図２】本考案に係る上部パーツである。
【図３】本考案に係る踵用パーツである。
【図４】本考案に係る踵用パーツを接合した下部パーツである。
【図５】本考案に係るポンチ穴を開けた下部パーツである。
【図６】本考案に係るポンチ穴を開けた上部パーツである。
【図７】下部パーツの左側面部とヒール部を糸で接合した部位を示す斜視図である。
【図８】本考案により製作された印伝を配設したベビーシューズ本体の斜視図である。
【考案を実施するための形態】
【００１１】
下部パーツ１及び上部パーツ６において、乳幼児の肌に触れる箇所は、柔軟性を有するクッション性に優れた生地を使用する。下部パーツ及び上部パーツは前記生地を一体とした一層構造でもよく、外側をデザインされた生地との二層構造としてもよい。また、通気性を有する機能性生地との多層構造としてもよい。印伝を配設する場合は乳幼児の肌に触れないように外側を印伝とした多層構造の生地とするのが適切である。下部パーツ１の底部２及び上部パーツ６の甲部７の湾曲度合いは、一般の靴同様に親指側が小指側より前方に突き出た形状となっている。
【実施例】
【００１２】
以下、図１〜図8を参照して、本考案のベビーシューズ組み立て用パーツを用いたベビーシューズ製作の実施形態について説明する。図１は本考案の下部パーツ１であり、底部２と左側面部３と右側面部４とヒール部５からなる一体のパーツである。また、図２は本考案の上部パーツ６であり、甲部７とタン部８からなる一体のパーツである。また、図３は踵用パーツ９である。
【００１３】
前記、下部パーツ１、上部パーツ６、踵用パーツ９は、裁断機及び寸法を合わせた型による抜き型により、任意の寸法生地を得る。下部パーツ１の外側には予め踵用パーツ９を貼り合せておく。ここで、踵用パーツ９はクッション性にある素材であればよく、例えばコルクや皮製生地を用いることができる。前記の貼り合せ方法は、接着でもよく縫い合わ
せでもよい。
【００１４】
前記で踵用パーツ９の貼り合せを行った下部パーツ１及び上部パーツ６に、ポンチを用いて糸を通すための穴を任意の数だけ開ける。穴の大きさは直径１ｍｍ程度が適切である。図５に穴あけ後の下部パーツ１、図６に穴あけ後の上部パーツ６を示す。
【００１５】
本考案のベビーシューズ組み立て方法は、図１に示す下部パーツ１の点線で示す折り線を谷折りとし、図２で示す上部パーツ６の点線で示す折り線を谷折とし、下部パーツ１の上に上部パーツ６を重ねて組み合わせる。組み合わせた後、下部パーツ１と上部パーツ６の接合を行う。
【００１６】
ここで、下部パーツ１と上部パーツ６の接合方法は、糸により縫い合わせを行う。一例として、図７に下部パーツ１の左側面部３とヒール部５を糸で接合した部位を示す。接合方法は、左側面部３とヒール部５を前記の折り線で谷折りとした後、予め開けておいたポンチ穴を合致させて、糸により接合を行う。強固に固定するためには、図7に示すように螺旋状に縫い付けるのが好ましい。
【００１７】
下部パーツ１と上部パーツ６が接合されたら、下部パーツ６の左側面部３及び右側面部４に紐穴を開け、靴紐１４を通す。右足用と左足用は左右対称であるので、同様の製作手順で行う。                                                                      
【符号の説明】
【００１８】
１      下部パーツ
２      底部
３      左側面部
４      右側面部
５      ヒール部
６      上部パーツ
７      甲部
８      タン部
９      踵用パーツ
１０    踵用パーツを接合した下部パーツ
１１    ポンチ穴
１２    糸
１３    ベビーシューズ本体
１４    靴紐
【図１】
0003218467.tif 000003
【図２】
0003218467.tif 000004
【図３】
0003218467.tif 000005
【図４】
0003218467.tif 000006
【図５】
0003218467.tif 000007
【図６】
0003218467.tif 000008
【図７】
0003218467.tif 000009
【図８】
0003218467.tif 000010